(57)【要約】【課題】  電源コードを操作桿に確実に係止させた状態で保持することができ、しかも電源コードに損傷を与えることなく係止位置に電源コードを挿入し、またその係止を解除できるフックを有するアップライト型電気掃除機を提供する。【解決手段】  下端に接続された吸込口体１１を経て塵埃を吸引するための電動部１７が内蔵された掃除機本体１３から外部に伸び出る電源コード２１を掃除機本体１３から上方へ延在する操作桿１４に係止すべく、該操作桿に設けられるフック２２を備えるアップライト型電気掃除機１０。フック２２は、操作桿１４の外周壁から該操作桿の周方向へ互いに間隔をおいて立ち上がりかつそれぞれが操作桿１４の長手方向に沿って伸びる一対の側壁部２２ａと、該各側壁部から互いに相近づく方向へ伸びる係止部２２ｂとを有する。両係止部２２ｂの間隔は、操作桿１４の長手方向における両端部間の中間部より両端部のいずれか一方の端部へ向けてハの字状に漸増する。【選択図】  図１
2005185585.tif 000002
【特許請求の範囲】
【請求項１】
下端に接続された吸込口体を経て塵埃を吸引するための電動部が内蔵された掃除機本体から前記電動部への電力供給のために前記掃除機本体の外部に伸び出る電源コードを前記掃除機本体から上方へ延在する操作桿に係止すべく、該操作桿に設けられるフックを備えるアップライト型電気掃除機であって、
前記フックは、前記操作桿の外周壁から該操作桿の周方向へ互いに間隔をおいて立ち上がりかつそれぞれが前記操作桿の長手方向に沿って伸びる一対の側壁部と、該各側壁部から互いに相近づく方向へ伸びる係止部とを有し、該両係止部の間隔は、前記両端部の中間部より前記操作桿の長手方向の少なくともいずれか一方の端部へ向けて漸増することを特徴とするアップライト型電気掃除機。
【請求項２】
前記一対の係止部間の間隔は前記中間部より前記操作桿の長手方向に向けてそれぞれ漸増する請求項１に記載のアップライト型電気掃除機。
【請求項３】
前記一対の係止部間の間隔が漸増する領域の長さは、前記両端部のうちの前記掃除機本体に近い下端側が上端側よりも大きいことを特徴とする請求項２に記載のアップライト型電気掃除機。
【発明の詳細な説明】
【技術分野】
【０００１】
本発明は電気掃除機の電源コードを係止するためのフックが設けられた電気掃除機に関し、特に、吸込口体が下端に接続される掃除機本体からその上方へ伸びる操作桿の操作ハンドル部を手で持って操作するのに適したアップライト型電気掃除機に関する。
【背景技術】
【０００２】
アップライト型電気掃除機では、電動送風機のような電動部が内蔵された掃除機本体の下端に吸込口体が接続されている。掃除機本体には、その上方に伸びる操作桿が取り付けられ、この操作桿に形成された操作ハンドル部を操作することにより、吸込口体が掃除機本体と共に移動するように操作される。
【０００３】
このようなアップライト型電気掃除機では、使用中に掃除機本体の引出口から引き出された電源コードが引出口から下方に垂れると、吸込口体に絡み付くことにより、該吸込口体の円滑な移動が妨げられると共に、この電源コードが損傷を受ける虞がある。そのため、掃除機本体から引き出された電源コードを操作桿に沿って引き上げた状態で該操作桿に係止するフックを設けることが提案されている（例えば、特許文献１参照。）。
【０００４】
このフック１は、図５に示すように、操作桿２の外周壁に設けられた一対の抱持部３と該抱持部の両端に形成された一対の案内リブ４とを備える。抱持部３の両端に設けられた案内リブ４の各外端には、傾斜面４ａが設けられており、この傾斜面４ａが形成された案内リブ４の案内作用により、電源コード５を案内リブ４で傷付けることなく、この電源コード５を抱持部３間に案内することができる。抱持部３間に案内された電源コード５は、抱持部３で係止される。これにより、電源コード５が掃除機本体の引き出し部の近傍で下方に垂れ下がることを防止することができるので、この垂れ下がり部分が図示しない吸込口体に絡み付くことを防止することができる。
【特許文献１】特許第２８７０１５７号公報（第２頁、第１図）
【発明の開示】
【発明が解決しようとする課題】
【０００５】
しかしながら、前記したフック１では、抱持部３の側壁部分３ａから互いに相近づく方向へ伸びる係止部分３ｂの間隔Ｗは、操作桿２の長手方向に沿ったフックの一端から他端へ向けて一様な寸法に設定されている。また、各係止部分３ｂの両端にはエッジ３ｃが形成される。そのため、フック１での電源コード５の係止作用を確実にすべく間隔Ｗを小さく設定すると、電源コード５をフック１に引っ掛けるときに、電源コード５をフック１の係止部分３ｂ間に割り込ませるための強い操作力が必要となり、このときに電源コード５の被覆を傷付ける虞が生じる。また、係止された電源コード５をフック１からの取り外す際に、両係止部分３ｂ間から電源コード５を引き出すための強い引出し力が必要となり、その引出し時にエッジ３ｃで電源コード５の被覆を傷付ける虞があった。
【０００６】
これとは逆に、電源コード５への損傷を防止し、フック１への電源コード５の係止及びその引出しを容易とするために係止部分３ｂ間の間隔Ｗを大きく設定すると、掃除機の操作中に電源コード５がフック１から外れ易くなり、フック１での確実な保持が困難となる。
【０００７】
そこで、本発明の目的は、電源コードを操作桿に確実に係止させた状態で保持することができ、しかも電源コードに損傷を与えることなく係止位置に電源コードを挿入し、またその係止を解除できるフックを有するアップライト型電気掃除機を提供することにある。
【課題を解決するための手段】
【０００８】
本発明は、下端に接続された吸込口体を経て塵埃を吸引するための電動部が内蔵された掃除機本体から前記電動部への電力供給のために前記掃除機本体の外部に伸び出る電源コードを前記掃除機本体から上方へ延在する操作桿に係止すべく、該操作桿に設けられるフックを備えるアップライト型電気掃除機であって、フックは、前記操作桿の外周壁から該操作桿の周方向へ互いに間隔をおいて立ち上がりかつそれぞれが前記操作桿の長手方向に沿って伸びる一対の側壁部と、該各側壁部から互いに相近づく方向へ伸びる係止部とを有し、該両係止部の間隔は、前記両端部の中間部より前記操作桿の長手方向の少なくともいずれか一方の端部へ向けて漸増することを特徴とする。
【０００９】
本発明では、フックの両係止部の間隔が端部へ向けてハの字状に漸増する部分から電源コードをフックによる係止位置に挿入し、あるいは該フックに係止された電源コードをその係止位置から引き出すことができる。
【発明の効果】
【００１０】
従って、本発明によれば、電源コードの被覆に損傷を与えることなく該電源コードをフックに係止させあるいはフックから取り外すことができ、しかも確実にフックへの係止位置に保持させることができる。
【発明を実施するための最良の形態】
【００１１】
以下、本発明の特徴を図示の実施例に沿って詳細に説明する。
【実施例１】
【００１２】
図１及び図２は、本発明に係る電気掃除機のフックを示すが、図１及び図２に沿ったフックの説明に先立って、このフックが設けられるアップライト型電気掃除機を図３に沿って説明する。
【００１３】
本発明に係るアップライト型電気掃除機１０は、図３に示すように、下端に吸込口体１１が設けられ、上端に把手１２が設けられた掃除機本体１３と、該掃除機本体から上方に伸長する操作桿１４とを備える。吸込口体１１には、該吸込口体の移動を容易とすることにより、掃除機１０の操作を容易とするための一対の車輪１５が設けられている。吸込口体１１は、従来よく知られた自在継ぎ手１６を介して掃除機本体１３に接続されている。
【００１４】
掃除機本体１３内には、吸込口体１１から塵埃を吸引するための従来よく知られた電動送風機１７が設けられており、この電動送風機１７の作動によって、吸込口体１１から掃除機本体１３に形成された排気口１８に至る風路（図示せず）に沿って流れる空気流が生じ、この風路に配置された図示しない集塵室に吸込口体１１から吸引された塵埃が捕獲される。
【００１５】
掃除機本体１３からその上方に延在する操作桿１４は、図示の例では、継ぎ手１９で取り外し可能に掃除機本体１３に接続されている。操作桿１４の先端部には操作のためのハンドル２０が設けられている。操作桿１４のハンドル２０の近傍にはフック２２が設けられている。このフック２２には、電動部である電動送風機１７に電力を供給するための電源コード２１が係止可能である。
【００１６】
電源コード２１は、従来よく知られているように、掃除機本体１３内のコード巻取り装置（図示せず）に巻取り可能であり、電気掃除機１０の不使用時には掃除機本体１３内に巻き取った状態で収納される。電気掃除機１０の使用時には、電源コード２１は、掃除機本体１３から引き出され、図３に示すようにフック２２に係止された状態で、その先端に設けられたプラグ（図示せず）で図示しないコンセントに接続される。
【００１７】
電源コード２１をフック２２に係止することにより、この電源コード２１の下方への弛みを防止することができる。これにより、ハンドル２０での操作によって掃除機本体１３と共に吸込口体１１を移動させたとき、この吸込口体１１への電源コード２１の絡みを防止し、またこの絡みによる電源コード２１の損傷を防止することができる。フック２２はハンドル２０に設けることもできる。
【００１８】
本発明に係る電気掃除機１０のフック２２は、図１及び図２に示すように、操作桿１４の外周壁１４ａから操作桿１４の周方向へ互いに一様な間隔Ｗ１をおいて立ち上がる一対の側壁部２２ａと、該各側壁部の頂部から互いに相近づく方向へ伸びる係止部２２ｂとを備える。間隔Ｗ１は電源コード２１をその間に位置させるべく該電源コードの最大幅寸法より大きく設定されており、両側壁部２２ａは、その間に電源コード２１を保持するに充分な一様な高さ寸法Ｈ（図２参照）で、操作桿１４の長手方向に伸長する。
【００１９】
各側壁部２２ａの頂部から伸びる係止部２２ｂの互いに向き合う縁部２３は、図１に示すように、操作桿１４の先端部側に位置する各係止部２２ｂの一端に形成された平行部分２３ａと、該平行部分に連なって形成され、操作桿１４の他端側へ向けて互いの間隔を漸減する第１の傾斜部分２３ｂと、該第１の傾斜部分に弧状曲部２３ｃを経て連なりかつ操作桿１４の他端側へ向けて互いの間隔を漸増するように形成され、各係止部２２ｂの他端に帰する第２の傾斜部分２３ｄとを有する。
【００２０】
両弧状曲部２３ｃは、操作桿１４の長手方向における各係止部２２ｂの両端間の中間に形成され、両弧状曲部２３ｃ間に、両係止部２２ｂの間隔が最も狭い最狭間隔Ｗ２を規定する。この最狭間隔Ｗ２は、両弧状曲部２３ｃ間への電源コード２１の割り込みを許すように、この電源コード２１の最小幅寸法よりも僅かに小さな値に設定されている。
【００２１】
両弧状曲部２３ｃの一側に連続して形成された両第１の傾斜部分２３ｂは、係止部２２ｂの一端へ向けて互いの間隔をハの字状に漸増させる。また、両弧状曲部２３ｃの他側に連続して形成された両第２の傾斜部分２３ｄは、係止部２２ｂの他端へ向けて互いの間隔をハの字状に漸増させる。
【００２２】
操作桿１４の長手方向に関する第２の傾斜部分２３ｄの傾斜角は、第１の傾斜部分２３ｂのそれよりも小さく設定されている。また、操作桿１４の長手方向すなわち係止部２２ｂの長手方向で見て、図１に示すように、第１の傾斜部分２３ｂにより規定される領域長Ｌ１は、第２の傾斜部分２３ｄにより規定される領域長Ｌ２よりも小さい。従って、係止部２２ｂ間の間隔が漸増する領域の長さについては、係止部２２ｂの前記一端である上端側に位置する領域長Ｌ１よりも前記他端である下端側に位置する領域長Ｌ２が大きくなるように設定されている。
【００２３】
本発明に係る電気掃除機１０のフック２２に電源コード２１を係止する場合、電源コード２１が係止部２２ｂを潜ることによって該係止部下で側壁部２２ａ間に位置するように、電源コード２１の中間部が係止部２２ｂ間に割り込むように押し入れられる。
【００２４】
この係止作業では、電源コード２１の中間部は、例えばフック２２の下端側から傾斜の緩やかな第２の傾斜部分２３ｄ間に沿って係止部２２ｂ下に押し入れられる。電源コード２１を傾斜の緩やかな第２の傾斜部分２３ｄに沿って押し入れるとき、強い操作力を必要とすることなく、無理なく、電源コード２１を第２の傾斜部分２３ｄに沿って押し入れることができ、最狭部である弧状曲部２３ｃ間を通すときにのみ電源コード２１は比較的強く係止部２２ｂの縁部２３に押し付けられるに過ぎない。
【００２５】
従って、電源コード２１のフック２２への係止作業で電源コード２１の被覆がフック２２に設けられた係止部２２ｂの縁部２３で傷付けられることなく電源コード２１をフック２２の所定の係止位置に割り込ませることができる。
【００２６】
電源コード２１がフック２２に係止された状態では、電気掃除機１０の操作によってフック２２の上端部でたとえ電源コード２１に弛みが生じても、フック２２の上端側には傾斜が急で弧状曲部２３ｃに連なる第１の傾斜部分２３ｂが形成されていることから、下端側の第２の傾斜部分２３ｄに於けるほどに電源コード２１が容易に外れることはない。従って、フック２２は、電気掃除機１０の操作中、これに係止された電源コード２１を係止位置に確実に保持する。また、フック２２の上端側に形成された係止部２２ｂの平行部分２３ａ及び第１の傾斜部分２３ｂは、フック２２の上端側での電源コード２１の遊びを許す。この遊びは、電気掃除機１０の操作中での電源コード２１の引っ掛かりによる電気掃除機１０の円滑な操作の妨げを防止する。従って、電気掃除機１０の円滑な操作が確保できる。
【００２７】
電気掃除機１０の使用後、例えば操作桿１４が継ぎ手１９から引き抜かれ、これにより、フック２２の下端側で電源コード２１が第２の傾斜部分２３ｄ間から立ち上がるように弛みを生じるか、あるいは下端側から電源コード２１に両係止部２２ｂ間からの引き出し操作力が作用すると、電源コード２１は傾斜が緩やかな第２の傾斜部分２３ｄ間から容易に引き出される。従って、電源コード２１の被覆に損傷を与えることなく容易に電源コード２１をフック２２から取り外すことができる。
【実施例２】
【００２８】
図４に示す第２実施例では、フック２２の係止部２２ｂの縁部２３の形状が曲面形状で構成されている。前記縁部２３は、図４に示す例では、係止部２２ｂの一端側で互いに相近づく方向へ突出する半球状の曲線縁部分２３ｅと、該曲線部分に連なり係止部２２ｂの他側で互いに間隔を漸増させる凹状の曲線縁部分２３ｆとを備え、曲線縁部分２３ｅで最狭間隔Ｗ２が規定されている。
【００２９】
図４に示す例では、フック２２の係止部２２ｂの縁部２３は、半球状の曲線縁部分２３ｅによって上端側でハの字状に開放する。従って、係止状態にある電源コード２１の被覆が縁部２３の上端側で損傷を受けることを確実に防止することができ、この上端側から電源コード２１をフック２２に押し込む場合あるいはその取り外しを行う場合であっても、電源コード２１の被覆への損傷を確実に防止することができる。また、フック２２の下端側からの電源コード２１をフック２２に差し込みあるいは取り外しを行う場合、係止部２２ｂの縁部２３の下端側が滑らかな曲線縁部分２３ｆで規定されていることから、この下端側からの電源コード２１の係止及び取り外しで、電源コード２１の被覆への損傷をより確実に防止することができる。
【００３０】
前記したところでは、図示の形状の縁部を備えるフック２２に沿って本発明を説明したが、フック２２の係止部２２ｂの縁部２３に、図示の例に限らず、少なくともフック２２の端部へ向けて両縁部２３間の間隔を漸増する種々の形状を適用することができる。
【図面の簡単な説明】
【００３１】
【図１】本発明に係るフックを示す平面図である。
【図２】図１に示す線II−IIに沿って得られた断面図である。
【図３】本発明に係るフックが設けられるアップライト型電気掃除機を示す外観図である。
【図４】本発明に係る他の実施例を示す図１と同様な図面である。
【図５】従来のフックを示す斜視図である。
【符号の説明】
【００３２】
１０  アップライト型電気掃除機
１１  吸込口体
１３  掃除機本体
１４  操作桿
１７  （電動部）電動送風機
２２  フック
２２ａ  フックの側壁部
２２ｂ  フックの係止部
【図１】
2005185585.tif 000003
【図２】
2005185585.tif 000004
【図３】
2005185585.tif 000005
【図４】
2005185585.tif 000006
【図５】
2005185585.tif 000007